(57)【要約】【課題】コンパクトな立体視画像投影用光学エレメントを提供する。【解決手段】ムービーを含む立体画像のプロジェクタによる映写は、科学技術用、セールス等の業務用、家庭でのホームビデオ投影、及び、将来考えられる立体テレビ放映対応等に有効である。本発明はアタッチメント形式、及びプロジェクタ筐体内組み込み形式に用いることが可能な小型光学エレメントを提案するものである。この小型光学エレメントは、入射された光からＰ偏光を分離して射出する直線偏光板１４、Ｐ偏光を透過し、かつＳ偏光を反射する偏光ビームスプリッタ１６、Ｐ偏光をＳ偏光に変換する半波長板１８、偏光ビームスプリッタ２２から構成されている。【選択図】　　　　図１
2004054123.tif 000002
【特許請求の範囲】
【請求項１】
左眼用画像情報及び右眼用画像情報で変調された光から第１の偏光方向の光を分離して射出する直線偏光板と、
前記第１の偏光方向の光を透過し、かつ第１の偏光方向と異なる第２の偏光方向の光を反射する作用面を備え、前記直線偏光板から射出された第１の偏光方向の光の左眼用画像及び右眼用画像の一方の画像部分が入射されるように配置された偏光ビームスプリッタと、
前記直線偏光板から射出された第１の偏光方向の光の左眼用画像及び右眼用画像の他方の画像部分の偏光面を回転させて第２の偏光方向の光に変換する半波長板と、
前記偏光ビームスプリッタの作用面において第１の偏光方向の光の透過方向に反射されるように、前記半波長板から射出された第２の偏光方向の光を反射して前記偏光ビームスプリッタに入射する反射面と、
を含む立体視画像投影用光学エレメント。
【請求項２】
左眼用画像情報及び右眼用画像情報で変調された光から第１の偏光方向の光を分離して射出する直線偏光板と、
前記第１の偏光方向の光を透過し、かつ第１の偏光方向と異なる第２の偏光方向の光を反射する作用面を備え、前記直線偏光板から射出された第１の偏光方向の光の左眼用画像及び右眼用画像の一方の画像部分が入射されるように配置された第１の偏光ビームスプリッタと、
前記直線偏光板から射出された第１の偏光方向の光の左眼用画像及び右眼用画像の他方の画像部分の偏光面を回転させて第２の偏光方向の光に変換する半波長板と、
前記第１の偏光方向の光を透過し、かつ第１の偏光方向と異なる第２の偏光方向の光を反射する作用面を備え、前記偏光ビームスプリッタの作用面において第１の偏光方向の光の透過方向に反射されるように、前記半波長板から射出された第２の偏光方向の光を反射して前記第１の偏光ビームスプリッタに入射する第２の偏光ビームスプリッタと、
を含む立体視画像投影用光学エレメント。
【請求項３】
平面視用の画像情報、または左眼用画像情報及び右眼用画像情報からなる立体視用の画像情報で変調された光から第１の偏光方向の光を分離して射出する直線偏光板と、
前記第１の偏光方向の光を透過し、かつ第１の偏光方向と異なる第２の偏光方向の光を反射する作用面を備え、前記直線偏光板から射出された平面視用の画像の半分の画像部分または第１の偏光方向の光の左眼用画像及び右眼用画像の一方の画像部分が入射されるように配置された第１の偏光ビームスプリッタと、
立体視用の画像を表示する場合には、前記直線偏光板から射出された第１の偏光方向の光の左眼用画像及び右眼用画像の他方の画像部分の偏光面を回転させて第２の偏光方向の光に変換する半波長板として機能し、平面視用の画像を表示する場合には、前記直線偏光板から射出された第１の偏光方向の光の平面視用の画像の残りの半分の画像部分の偏光面を回転させることなく透過する透過板として機能するように切換可能な第１の液晶光学素子と、
前記第１の偏光方向の光を透過し、かつ第１の偏光方向と異なる第２の偏光方向の光を反射する作用面を備え、前記偏光ビームスプリッタの作用面において第１の偏光方向の光の透過方向に反射されるように、前記第１の液晶光学素子から射出された第２の偏光方向の光を反射して前記第１の偏光ビームスプリッタに入射する第２の偏光ビームスプリッタと、
第１の偏光ビームスプリッタ及び第２の偏光ビームスプリッタからの光が入射されるように配置され、平面視用の画像を表示する場合には、入射された光の偏光面を回転させて円偏光に変換する１／４波長板として機能し、立体視用の画像を表示する場合には、入射された光の偏光面を回転させることなく透過する透過板として機能するように切換可能な第２の液晶光学素子と、
を含む立体視画像投影用光学エレメント。
【請求項４】
請求項１〜３のいずれか１項記載の立体視画像投影用光学エレメントを備えたプロジェクタ。
【発明の詳細な説明】
【０００１】
【発明の属する技術分野】
本発明は、立体視画像投影用光学エレメント及びそれを組み込んだプロジェクタに係り、特に、立体視画像をスクリーンに投影することができるコンパクトな立体視画像投影用光学エレメント、及びこの立体視画像投影用光学エレメントを組み込んで立体視画像をスクリーンに投影することができるようにしたプロジェクタに関する。
【０００２】
【従来の技術】
従来の立体視画像をスクリーンに投影するプロジェクタは、例えば、光源から照射された光を偏光ビームスプリッターに入射し、Ｐ偏光とＳ偏光との２つの偏光に分離し、Ｐ偏光は右眼用画像を表示した投影液晶パネルを透過して投写レンズに入射させて、投写レンズからスクリーン投影し、Ｓ偏光は左眼用画像を表示させた別の投影液晶パネル透過して別の投写レンズに入射させて、投写レンズからスクリーンに投影して、視差画像を同じ場所に表示するものなどが提案されている。そして、偏光眼鏡によってこの視差画像を目視することで、画像を立体視できるように構成されている。
【０００３】
【発明が解決しようとする課題】
しかしながら、従来のプロジェクタでは、２枚の投影液晶パネルに画像を表示し、２つの投写レンズによって視差画像をスクリーンに投影しているので、装置が大型化する、という問題があった。言い換えれば、従来のプロジェクタは、２台のプロジェクタを用いて行うことに近く、筐体も大きく、高価なものとなり、導入可能な要件となる利便性、携帯可能性、及び普及性等の見地から言うと、実用的とは言い難かった。
【０００４】
本発明は、上記問題点を解決すべく成されたもので、プロジェクタにアタッチメントとして取り付けるか、または、プロジェクタ内部に組み込むことによって、立体視を可能とするコンパクトな立体視画像投影用光学エレメント、及び、それを組み込んだコンパクトな立体視画像プロジェクタを提供することを目的とする。
【０００５】
【課題を解決するための手段】
上記目的を達成するために請求項１の発明は、左眼用画像情報及び右眼用画像情報で変調された光から第１の偏光方向の光を分離して射出する直線偏光板と、前記第１の偏光方向の光を透過し、かつ第１の偏光方向と異なる第２の偏光方向の光を反射する作用面を備え、前記直線偏光板から射出された第１の偏光方向の光の左眼用画像及び右眼用画像の一方の画像部分が入射されるように配置された偏光ビームスプリッタと、前記直線偏光板から射出された第１の偏光方向の光の左眼用画像及び右眼用画像の他方の画像部分の偏光面を回転させて第２の偏光方向の光に変換する半波長板と、前記偏光ビームスプリッタの作用面において第１の偏光方向の光の透過方向に反射されるように、前記半波長板から射出された第２の偏光方向の光を反射して前記偏光ビームスプリッタに入射する反射面と、を含んで構成したものである。
【０００６】
請求項１の発明によれば、直線偏光板によって、左眼用画像情報及び右眼用画像情報で変調された光から第１の偏光方向の光が分離され、第１の偏光方向の光の左眼用画像及び右眼用画像の一方の画像部分は偏光ビームスプリッタに入射され、また直線偏光板から射出された第１の偏光方向の光の左眼用画像及び右眼用画像の他方の画像部分は半波長板によって偏光面を回転させて第２の偏光方向の光に変換される。第１の偏光方向の光は、偏光ビームスプリッタを透過し、第２の偏光方向の光は、反射面で反射されて、偏光ビームスプリッタの作用面において第１の偏光方向の光の透過方向に反射されるように偏光ビームスプリッタに入射される。
【０００７】
請求項１の発明の立体視画像投影用光学エレメントをプロジュクタの投影側に取り付け、プロジェクタから左眼用画像及び右眼用画像を並べて投影すれば、偏光ビームスプリッタから射出された第１の偏光方向の光及び第２の偏光方向の光によって、左眼用画像及び右眼用画像からなる視差画像をスクリーンの同じ場所に投影することができる。
【０００８】
プロジェクタとしては、投影液晶パネルを備えた液晶プロジェクタ、ＤＭＤ（デジタルミラーデバイス）を利用したプロジェクタ、及びＧＬＶ（グレーティングライトバルブ）を利用したプロジェクタ等を用いることができる。例えば、プロジェクタが投影液晶パネルを備えている場合には、プロジュクタの投影液晶パネル等の表示部に左眼用画像及び右眼用画像を並べて表示し、ランプの光によって左眼用画像び右眼用画像を照明すれば、ランプの光が表示部を透過する際に表示された左眼用画像び右眼用画像の各画像情報によって変調され、偏光ビームスプリッタから射出された第１の偏光方向の光及び第２の偏光方向の光によって、左眼用画像及び右眼用画像からなる視差画像をスクリーンの同じ場所に投影することができる。そして、この視差画像を偏光眼鏡を通して目視することにより、表示された画像を立体視することができる。
【０００９】
請求項１の発明では、直線偏光板、偏光ビームスプリッタ、半波長板、及び反射面の個数が少ない３つの光学部品を用いているので、立体視画像投影用光学エレメントをコンパクトに構成することができる。また、コンパクトな立体視画像投影用光学エレメントをを組み込むことにより請求項４記載のコンパクトなプロジェクタを構成することもできる。
【００１０】
請求項１の発明では、反射ミラーによって反射面を構成することができるが、請求項２記載の発明のように第２の偏光ビームスプリッタを設け、この第２の偏光ビームスプリッタの作用面を上記の反射面として使用することができる。
【００１１】
請求項３の発明は、平面視用の画像情報、または左眼用画像情報及び右眼用画像情報からなる立体視用の画像情報で変調された光から第１の偏光方向の光を分離して射出する直線偏光板と、前記第１の偏光方向の光を透過し、かつ第１の偏光方向と異なる第２の偏光方向の光を反射する作用面を備え、前記直線偏光板から射出された平面視用の画像の半分の画像部分または第１の偏光方向の光の左眼用画像及び右眼用画像の一方の画像部分が入射されるように配置された第１の偏光ビームスプリッタと、立体視用の画像を表示する場合には、前記直線偏光板から射出された第１の偏光方向の光の左眼用画像及び右眼用画像の他方の画像部分の偏光面を回転させて第２の偏光方向の光に変換する半波長板として機能し、平面視用の画像を表示する場合には、前記直線偏光板から射出された第１の偏光方向の光の平面視用の画像の残りの半分の画像部分の偏光面を回転させることなく透過する透過板として機能するように切換可能な第１の液晶光学素子と、前記第１の偏光方向の光を透過し、かつ第１の偏光方向と異なる第２の偏光方向の光を反射する作用面を備え、前記偏光ビームスプリッタの作用面において第１の偏光方向の光の透過方向に反射されるように、前記第１の液晶光学素子から射出された第２の偏光方向の光を反射して前記第１の偏光ビームスプリッタに入射する第２の偏光ビームスプリッタと、第１の偏光ビームスプリッタ及び第２の偏光ビームスプリッタからの光が入射されるように配置され、平面視用の画像を表示する場合には、入射された光の偏光面を回転させて円偏光に変換する１／４波長板として機能し、立体視用の画像を表示する場合には、入射された光の偏光面を回転させることなく透過する透過板として機能するように切換可能な第２の液晶光学素子と、を含んで構成したものである。
【００１２】
請求項３の発明によれば、第１の液晶光学素子を半波長板として機能させ、第２の液晶光学素子を透過板として機能させれば、請求項１または請求項２の発明と同様に構成することができるので、左眼用画像及び右眼用画像からなる視差画像をスクリーンの同じ場所に投影し、この視差画像を偏光眼鏡を通して目視することにより、請求項１または請求項２の発明と同様に表示された画像を立体視することができる。
【００１３】
一方、第１の液晶光学素子を透過板として機能させ、第２の液晶光学素子を１／４波長板として機能させれば、プロジェクタから投影される画像は半分ずつ偏光ビームッスプリッタの各々を透過するので、スクリーン上に平面視用の画像を表示することができる。
【００１４】
請求項３の発明によれば、立体視画像投影用光学エレメントをコンパクトに構成することができると共に、立体視用の画像と平面視用の画像とを切り換えて表示することができる。また、コンパクトな立体視画像投影用光学エレメントをを組み込むことにより立体視用の画像と平面視用の画像を切り換えて表示することができる請求項４記載のコンパクトなプロジェクタを構成することができる。
【００１５】
【発明の実施の形態】
以下、図面を参照して本発明の実施の形態を詳細に説明する。本発明の第１の実施の形態の立体視画像投影用光学エレメントを図１を参照して説明する。本実施の形態は、偏光ビームスプリッタを２個設け、一方の偏光ビームスプリッタの作用面を反射面として使用するようにしたものである。また、以下の実施の形態ではプロジェクタとして液晶プロジェクタを用いた例について説明するが、その他のプロジェクタにも同様に適用することができるものである。
【００１６】
図１に示すように、本実施の形態の立体視画像投影用光学エレメントには、プロジェクタの光路中にこの立体視画像投影用光学エレメントＡ１を挿入する際に、必要な光学的特性を補正するための補正レンズ１０が設けられている。なお、この補正レンズは、プロジェクタ側に設けてもよく、プロジェクタの投影レンズをそのまま用いるようにしてもよい。
【００１７】
補正レンズ１０の光射出側には、入射された光からＰ偏光を分離して射出する直線偏光板１２が配置されている。この直線偏光板１２は、液晶プロジェクタ等のプロジェクタの色による偏光を補正するためのものである。すなわち、液晶プロジェクタでは、Ｒ，Ｇ，Ｂの３つの基本色を組合せて多色を発生させており、これらの基本色には各々異なった角度の偏光面を備えた部分偏光が含まれている。また、本実施の形態の立体視画像投影用光学エレメントも異なった色に対して僅かに異なった減衰を持つ色特性を有している。
【００１８】
この直線偏光板１２は、偏光面を調整することによって、入射光の偏光状態、及び立体視画像投影用光学エレメントの色特性の両方を補正する機能を備えている。この直線偏光板１２によって調整する偏光面の角度は、３つの基本色に対して色特性が一様になるように調整するのが好ましい。
【００１９】
直線偏光板１２の光射出側には、入射された光からＰ偏光を分離して射出する直線偏光板１４が直線偏光板１２と平行に設けられている。この直線偏光板１４は、偏光ビームスプリッタ１６を透過する光量が最大になるように偏光面を調整するものである。
【００２０】
直線偏光板１４の光射出側には、Ｐ偏光を透過し、かつＳ偏光を反射する作用面を備えた偏光ビームスプリッタ１６が、直線偏光板１４から射出されたＰ偏光の一部分、好ましくは半分が入射されると共に、入射面が直線偏光板１４と平行になるように配置されている。
【００２１】
また、偏光ビームスプリッタ１６の近傍には、偏光ビームスプリッタ１６と同一構成の偏光ビームスプリッタ２２が、偏光ビームスプリッタ１６に対して所定角度θ傾斜させて近接配置されている。偏光ビームスプリッタ１６と偏光ビームスプリッタ２２との間の間隙には、頂角がθのガラスプリズムで構成されたウエッジ２４が介在している。ウエッジ２４は、偏光ビームスプリッタ１６、２２間で発生する不必要な反射光を最小限に低減する作用を有している。
【００２２】
偏光ビームスプリッタ２２の光入射側には、ウエッジ２４と同一構成のガラスプリズムで構成されたウエッジ２０が設けられている。ウエッジ２０の頂角は、偏光ビームスプリッタ２２の傾斜角と同一であるので、ウエッジ２０の入射面は、直線偏光板１４と平行になる。ウエッジ２０の光入射側には、偏光面に対する角度を調整して配置することによって、入射された光の偏光面を９０°回転するように半波長板１８が配置されている。
【００２３】
偏光ビームスプリッタ１６、２２、ウエッジ２０、２４、及び半波長板１８は、接着剤で接着して一体に形成するか、プラスチック等によって一体成形することもできる。
【００２４】
偏光ビームスプリッタ１６の光射出側には、偏光面に対する角度を調整して配置することによって、偏光ビームスプリッタ１６から射出されたＰ偏光及びＳ偏光の偏光面を各々４５°回転させるように、半波長板２６が配置されている。この半波長板２６は、通常の偏光眼鏡が偏光方向が水平面に対して４５°傾斜した検光子を用いているため、この偏光眼鏡で投影された画像を目視したときに立体視できるように偏光面を回転するためのものである。
【００２５】
この立体視画像投影用光学エレメントＡ１は、図２に示すように、液晶プロジェクタ３０の投影レンズの直前にアタッチされて、光路中に挿入される。
【００２６】
また、液晶プロジェクタ３０のプロジュクション投影面には、偏光保存材料（金属性塗料をビニール布に塗布したもの等）で形成されたスクリーンが配置される。
【００２７】
以下、本実施の形態の作用について説明する。まず、３次元レンダリングにより左眼用画像情報データと右眼用画像情報データとを作成し、これらのデータを用いて液晶プロジェクタの投影液晶パネルに左眼用画像と右眼用画像とを並列させて表示する。左眼用画像と右眼用画像との並列方向は、左右方向、上下方向の何れでもよいが、左眼用画像及び右眼用画像の位置に対応させて２つの偏光ビームスプリッタの各々を配置する必要がある。
【００２８】
この左眼用画像及び右眼用画像は、液晶プロジェクタに内蔵されている光源により照明される。左眼用画像を透過した光は、左眼用画像情報で強度変調され、補正レンズ１０及び直線偏光板１２、１４を透過してＰ偏光が分離され、偏光ビームスプリッタ１６を透過し、半波長板２６によって偏光面が４５°回転されてスクリーンに照射される。これによって左眼用画像が投影され、スクリーンに左眼用画像が表示される。
【００２９】
右眼用画像を透過した光は、右眼用画像情報で強度変調され、補正レンズ１０及び直線偏光板１２、１４を透過してＰ偏光に変換され、半波長板１８によりＳ偏光に変換され、ウエッジ２０を透過して偏光ビームスプリッタ２２に入射される。偏光ビームスプリッタ２２に入射された光はＳ偏光であるため、偏光ビームスプリッタの作用面で偏光ビームスプリッタ１６方向に反射され、ウエッジ２４を透過して、Ｐ偏光が入射された入射面とは異なる入射面から偏光ビームスプリッタ１６に入射される。偏光ビームスプリッタ１６に入射された光はＳ偏光であるため、偏光ビームスプリッタの作用面でＰ偏光の透過方向に反射され、半波長板２６によって偏光面が４５°回転されてスクリーンに照射され、これによって右眼用画像が投影され、スクリーンに右眼用画像が表示される。
【００３０】
これによって、スクリーンには右眼用画像及び左眼用画像からなる視差画像が同じ場所に表示されるので、偏光眼鏡を通して視差画像を目視することにより立体視することができる。
【００３１】
上記の偏光ビームスプリッタ２２の作用面は、反射面としてのみ作用するので、偏光ビームスプリッタ２２に代えて、偏光ビームスプリッタの作用面の位置に反射ミラーを配置してもよい。この場合においても、左眼用画像と右眼用画像との並列方向は、左右方向、上下方向の何れでもよいが、左眼用画像及び右眼用画像の位置に対応させて偏光ビームスプリッタ及び反射ミラーの各々を配置する必要がある。
【００３２】
また、上記の実施の形態では、立体視画像投影用光学エレメントを別体に作成して液晶プロジェクタにアタッチする例について説明したが、本発明はこれに限定されるものではなく、予め液晶プロジェクタに組み込んで立体視画像用プロジェクタとして構成するようにしてもよい。
【００３３】
次に、立体視画像投影用光学エレメントを予め液晶プロジェクタに組み込んで通常の２次元画像も目視できるようにした本発明の第２の実施の形態について説明する。この実施の形態では、立体視用の画像と平面視用の画像とを切り換えて表示できるようにしている。
【００３４】
図３を参照して、本実施の形態の立体視画像投影用光学エレメントＡ２を説明する。なお、図３において図１と対応する部分には同一符号を付して説明を省略する。
【００３５】
本実施の形態では、第１の実施の形態の補正レンズ１０に変えて、２枚の補正レンズ１０Ａ、１０Ｂが設けられている。補正レンズ１０Ａ、１０Ｂは、補正レンズ１０と同様に、光路中に立体視画像投影用光学エレメントを挿入する際に必要な光学特性を補正するためのものである。補正レンズ１０Ｂは、プロジェクタの投影レンズをそのまま用い、必要な光学特性をエレメント側に設けた補正レンズ１０Ａによって補正するようにしてもよい。
【００３６】
また、本実施の形態では、第１の実施の形態の半波長板１８に代えて、直線偏光板１４とウエッジ２０との間に、第１の液晶光学素子３２が挿入されている。この第１の液晶光学素子３２は、スイッチオンされたときには偏光面を９０°回転させる半波長板１８と同様の半波長板として機能し、スイッチオフされたときには入射された光をそのまま透過する透明ガラス板と同様に機能するように構成されている。
【００３７】
また、偏光ビームスプリッタ２２のウエッジ２０が配置された面と対向する面には、ウエッジ２０と対称に頂角がθのウエッジ３４が配置されている。このウエッジ３４の頂角は、偏光ビームスプリッタ２２の傾斜角と同一であるので、ウエッジ３４は、射出面が偏光ビームスプリッタ１６の射出面と同一平面上に位置するように配置される。
【００３８】
半波長板２６と偏光ビームスプリッタ１６、２２との間には、第２の液晶光学素子３６が挿入されている。この第２の液晶光学素子３６は、スイッチオンされたときには直線偏光を円偏光に変換する１／４波長板として機能し、スイッチオフされたときには入射された光をそのまま透過する透明ガラス板と同様に機能するように構成されている。
【００３９】
本実施の形態の立体視画像投影用光学エレメントＡ２は、図４に示すように、液晶プロジェクタ３０の投影側に組み込まれて液晶プロジェクタが構成される。
【００４０】
次に、本実施の形態の作用を説明する。立体視用の画像を表示する場合には、液晶光学素子３２をスイッチオンさせて半波長板として機能させ、液晶光学素子３６はスイッチオフさせて透明ガラス板として機能させる。この結果、本実施の形態の立体視画像投影用光学エレメントＡ２は、第１の実施の形態の立体視画像投影用光学エレメントＡ１と同一の構成になり、上記で説明しあたように画像を立体視することができる。
【００４１】
平面視用の画像を表示する場合には、液晶光学素子３２をスイッチオフさせて透明ガラス板として機能させ、液晶光学素子３６をスイッチオンさせて１／４波長板として機能させる。
【００４２】
上記の状態で、液晶プロジェクタの投影液晶パネルに画像を表示して液晶プロジェクタに内蔵されている光源により照明すると、投影液晶パネルに表示された左半分の画像は、補正レンズ１０Ａ及び直線偏光板１２、１４を透過してＰ偏光に変換され、偏光ビームスプリッタ１６を透過し、１／４波長板として機能する液晶光学素子３６によって円偏光に変換されて半波長板２６に入射される。
【００４３】
一方、投影液晶パネルに表示された右半分の画像は、補正レンズ１０Ａ及び直線偏光板１２、１４を透過してＰ偏光に変換され、透明ガラス板として機能する液晶光学素子３２、ウエッジ２０、偏光ビームスプリッタ２２、及びウエッジ３４を透過し、１／４波長板として機能する液晶光学素子３６によって円偏光に変換されて半波長板２６に入射される。
【００４４】
半波長板２６に入射された円偏光は、半波長板２６によって左右に切り換えられ、補正レンズ１０Ｂを介してスクリーンに照射される。この場合は、片眼の画像が暗くなる。
【００４５】
偏光ビームスプリッタ２２は偏光ビームスプリッタ１６に対して傾斜して配置されているが、ウエッジ２０とウエッジ３４とが対称に配置されているため、偏光ビームスプリッタ１６と透過した光と偏光ビームスプリッタ２２とを透過した光とは略平行になって投影される。また、偏光ビームスプリッタ２２に対する入射光と射出光とは光路が平行にずれるがずれ量は僅かであるので画像に対する影響は無視することができる。
【００４６】
本実施の形態では、静止画像を立体視することができる他、プロジェクタに動画像を投影させるようにすればムービーにも同様に適用して立体視することができる。また、ＴＶ局が将来立体放送することも予想されるが、この場合、ＴＶ受像回路を搭載して左眼用画像及び右眼用画像を左右に分けて動画で表示することにより、立体視動画の放送も立体視することができる。また、左眼用画像及び右眼用画像データは、ソフトウエアを利用してコンピュータで形成することができるが、二眼デジタルカメラや二眼ビデオカメラで形成することもできる。さらに、第２の実施の形態の光学エレメントを小型のＴＶ受像基盤と共にプロジェクタに組み込むことにより、２次元の画像を３次元の画像とを切り換えて視聴することができるＴＶ受像機を構成することができる。
【００４７】
【発明の効果】
以上説明したように請求項１〜３の発明によれば、プロジェクタに取り付けることで立体視するための画像を表示することができるコンパクトな立体視画像投影用光学エレメントを提供することができる、という効果が得られる。
【００４８】
また、請求項４の発明によれば、請求項１〜３の立体視画像投影用光学エレメントを組み込むことでコンパクトにした立体視画像用プロジェクタを提供することができる、という効果が得られる。
【００４９】
なお、請求項３の発明の立体視画像投影用光学エレメントを組み込んだ場合には、通常の平面視用の画像を投影するように簡単に切り換えることができる。
【図面の簡単な説明】
【図１】本発明の第１の実施の形態の立体視画像投影用光学エレメントを示す概略図である。
【図２】上記第１の実施の形態の立体視画像投影用光学エレメントをプロジェクタに取り付けた状態を示す概略図である。
【図３】本発明の第２の実施の形態の立体視画像投影用光学エレメントを示す概略図である。
【図４】上記第２の実施の形態の立体視画像投影用光学エレメントをプロジェクタ内部に組み込んだ状態を示す概略図である。
【図５】上記第２の実施の形態において平面視画像を表示するときの光路を説明するための概略図である。
【符号の説明】
１０　　補正レンズ
１６、２２　　偏光ビームスプリッタ
１８、２６　　半波長板
【図１】
2004054123.tif 000003
【図２】
2004054123.tif 000004
【図３】
2004054123.tif 000005
【図４】
2004054123.tif 000006
【図５】
2004054123.tif 000007